【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
組成物を押出成形して第一の物品を製造するステップ；温度≧約９０℃を有する加熱金型中で前記第一の物品を熱成形して第二の物品を製造するステップ；および、前記第二の物品を４０秒未満の間、前記加熱金型中に保持することによって前記第二の物品を熱処理して、熱成形品を製造するステップを含む方法であって、
前記組成物がポリ（ヒドロキシアルカン酸）と、前記組成物の重量を基準にして０から４％の成核剤とを含むか、または実質上それらからなり；
前記ポリ（ヒドロキシアルカン酸）が、グリコール酸から誘導される、乳酸から誘導される、３−ヒドロキシプロピオン酸から誘導される、２−ヒドロキシ酪酸から誘導される、３−ヒドロキシ酪酸から誘導される、４−ヒドロキシ酪酸から誘導される、３−ヒドロキシ吉草酸から誘導される、４−ヒドロキシ吉草酸から誘導される、５−ヒドロキシ吉草酸から誘導される、またはこれらの２種類以上の組合せから誘導される反復単位を含み、
前記成核剤が、前記組成物中に約１から約４％存在し；
前記第一の物品がフィルムまたはシートであり、部分的に結晶化されており；
前記第一の物品が、温度≧約９５℃を有する前記加熱金型中に保持され；
前記熱成形された物品が、少なくとも１０％の結晶化度を有し；
前記組成物が、ポリ（ヒドロキシアルカン酸）と、前記組成物の重量を基準にして０から４％の成核剤とを含み、かつ衝撃改質剤を含んでいてもよく；
前記成核剤は、１種類または複数種類のカルボン酸を含むか、あるいは前記組成物がエチレンコポリマーを含む場合には、前記カルボン酸のアルキルエステル、前記カルボン酸のアルキルアミド、またはこれらの組合せを含み；かつ前記カルボン酸が、芳香族カルボン酸、脂肪族カルボン酸、ポリカルボン酸、脂肪族ヒドロキシカルボン酸、またはこれらの２種類以上の組合せを含み；かつ
前記衝撃改質剤は、エチレンコポリマー、コア−シェルポリマー、またはこれらの組合せを含み、前記エチレンコポリマーが、（ａ）エチレンから誘導される、（ｂ）式ＣＨ2＝Ｃ（Ｒ3）ＣＯ2Ｒ4（式中、Ｒ3は水素、または炭素原子１個から６個を有するアルキル基であり、かつＲ4はグリシジルである）の１種類または複数種類のオレフィンから誘導される反復単位を含み、かつ（ｃ）式ＣＨ2＝Ｃ（Ｒ1）ＣＯ2Ｒ2（式中、Ｒ1は水素、または炭素原子１個から８個を有するアルキル基であり、Ｒ2は炭素原子１個から８個を有するメチル、エチル、またはブチルなどのアルキル基である）の１種類または複数種類のオレフィン、もしくは一酸化炭素から誘導される反復単位を含んでいてもよい、方法。
【請求項２】
前記組成物が、前記エチレンコポリマーを含む前記衝撃改質剤を含み；
前記ポリ（ヒドロキシアルカン酸）が、ポリ（グリコール酸）、ポリ（乳酸）、ポリ（ヒドロキシ−酪酸）、ポリ（ヒドロキシ−酪酸エステル−吉草酸エステル）コポリマー、グリコール酸と乳酸、ヒドロキシ吉草酸、５−ヒドロキシ吉草酸のコポリマー、またはこれらの２種類以上の組合せを含み；
前記第一の物品が、温度９０℃から１４０℃を有する前記加熱金型中に保持され、かつ前記成核剤が、前記組成物中に０．１から４％存在し；
前記成核剤が、ステアリン酸、ベヘン酸、ベヘン酸アミド、エルカ酸、エチレンビス−ステアルアミド、またはこれらの２種類以上の組合せを含み；かつ
前記成核剤が、前記組成物中に０．５から３％存在し、かつ脂肪族単官能性カルボン酸を含む、請求項１に記載の方法。
【請求項３】
前記ポリ（ヒドロキシアルカン酸）が前記ポリ（乳酸）であり；
前記エチレンコポリマーが、エチレン、アクリル酸ブチル、およびメタクリル酸グリシジルのコポリマーであり；
前記成核剤が、ステアリン酸またはベヘン酸アミドであり；かつ
前記成核剤が前記組成物中に１から２％存在する、請求項２に記載の方法。
【請求項４】
前記組成物が、２５から５０％のステアリン酸、ベヘン酸アミド、またはその両方と、５０から７５％のポリ（ヒドロキシアルカン酸）とを含む濃縮マスターバッチであり、かつ前記第二の物品が、前記加熱金型中に３０秒未満、２０秒未満、または１５秒未満の間保持される、請求項１から３のいずれか一項に記載の方法。
【手続補正２】
【補正対象書類名】明細書
【補正対象項目名】００９８
【補正方法】変更
【補正の内容】
【００９８】
【表９】
2011519760.tif 000001
次に、本発明の態様を示す。
１.  組成物を押出成形して第一の物品を製造するステップ；温度≧約９０℃を有する加熱金型中で前記第一の物品を熱成形して第二の物品を製造するステップ；および、前記第二の物品を４０秒未満の間、前記加熱金型中に保持することによって前記第二の物品を熱処理して、熱成形品を製造するステップを含む方法であって、前記ポリ（ヒドロキシアルカン酸）組成物がポリ（ヒドロキシアルカン酸）と、前記組成物の重量を基準にして０から４％の成核剤とを含むか、または実質上それらからなり、かつ前記第一の物品がフィルムまたはシートであり、部分的に結晶化されている、方法。
２.  前記第一の物品が、温度≧約９５℃を有する前記加熱金型中に保持され；
前記熱成形された物品が、少なくとも１０％の結晶化度を有し；
前記組成物が、ポリ（ヒドロキシアルカン酸）と、前記組成物の重量を基準にして０から４％の成核剤とを含み、かつ衝撃改質剤を含んでいてもよく；
前記成核剤は、１種類または複数種類のカルボン酸を含むか、あるいは前記組成物がエチレンコポリマーを含む場合には、前記カルボン酸のアルキルエステル、前記カルボン酸のアルキルアミド、またはこれらの組合せを含み；かつ前記カルボン酸が、芳香族カルボン酸、脂肪族カルボン酸、ポリカルボン酸、脂肪族ヒドロキシカルボン酸、またはこれらの２種類以上の組合せを含み；かつ
前記衝撃改質剤は、エチレンコポリマー、コア−シェルポリマー、またはこれらの組合せを含み、前記エチレンコポリマーが、（ａ）エチレンから誘導される、（ｂ）式ＣＨ2＝Ｃ（Ｒ3）ＣＯ2Ｒ4（式中、Ｒ3は水素、または炭素原子１個から６個を有するアルキル基であり、かつＲ4はグリシジルである）の１種類または複数種類のオレフィンから誘導される反復単位を含み、かつ（ｃ）式ＣＨ2＝Ｃ（Ｒ1）ＣＯ2Ｒ2（式中、Ｒ1は水素、または炭素原子１個から８個を有するアルキル基であり、Ｒ2は炭素原子１個から８個を有するメチル、エチル、またはブチルなどのアルキル基である）の１種類または複数種類のオレフィン、もしくは一酸化炭素から誘導される反復単位を含んでいてもよい、
上記１に記載の方法。
３.  前記第一の物品が、温度９０℃から１４０℃を有する前記加熱金型中に保持され、かつ前記成核剤が、前記組成物中に０．１から４％存在する、上記２に記載の方法。
４.  前記ポリ（ヒドロキシアルカン酸）が、炭素原子５個以下を有するヒドロキシアルカン酸から誘導される反復単位を含み、かつ前記成核剤が、前記組成物中に０．５から４％存在し；かつ
前記ポリ（ヒドロキシアルカン酸）が、グリコール酸から誘導される、乳酸から誘導される、３−ヒドロキシプロピオン酸から誘導される、２−ヒドロキシ酪酸から誘導される、３−ヒドロキシ酪酸から誘導される、４−ヒドロキシ酪酸から誘導される、３−ヒドロキシ吉草酸から誘導される、４−ヒドロキシ吉草酸から誘導される、５−ヒドロキシ吉草酸から誘導される、またはこれらの２種類以上の組合せから誘導される反復単位を含み、かつ前記成核剤が、前記組成物中に約１から約４％存在する、
上記１から３のいずれか一項に記載の方法。
５.  前記組成物が、前記エチレンコポリマーを含む前記衝撃改質剤を含み；
前記ポリ（ヒドロキシアルカン酸）が、ポリ（グリコール酸）、ポリ（乳酸）、ポリ（ヒドロキシ−酪酸）、ポリ（ヒドロキシ−酪酸エステル−吉草酸エステル）コポリマー、グリコール酸と乳酸、ヒドロキシ吉草酸、５−ヒドロキシ吉草酸のコポリマー、またはこれらの２種類以上の組合せを含み；
前記成核剤が、脂肪族単官能性カルボン酸を含み；かつ
前記成核剤が、前記組成物中に０．５から３％存在し、かつ脂肪族単官能性カルボン酸を含む、
上記１から４のいずれか一項に記載の方法。
６.  前記ポリ（ヒドロキシアルカン酸）が前記ポリ（乳酸）であり；前記エチレンコポリマーが、エチレンから誘導される、（メタ）アクリル酸アルキルから誘導される反復単位を含み；かつ（メタ）アクリル酸グリシジルから誘導される反復単位を含んでいてもよく、前記成核剤が、ステアリン酸、ベヘン酸、ベヘン酸アミド、エルカ酸、エチレンビス−ステアルアミド、またはこれらの２種類以上の組合せを含み；かつ前記成核剤が前記組成物中に１から２％存在する、上記５に記載の方法。
７.  前記衝撃改質剤が、エチレン、アクリル酸ブチル、およびメタクリル酸グリシジルのコポリマーであり、かつ前記成核剤が、ステアリン酸またはベヘン酸アミドである、上記６に記載の方法。
８.  前記組成物が、２５から５０％のステアリン酸、ベヘン酸アミド、またはその両方と、５０から７５％のポリ（ヒドロキシアルカン酸）とを含む濃縮マスターバッチである、上記１から７のいずれか一項に記載の方法。
９.  前記第二の物品が、前記加熱金型中に３０秒未満、２０秒未満、または１５秒未満の間保持される、上記１から８のいずれか一項に記載の方法。